(57)【特許請求の範囲】
【請求項１】
全体の動作を制御する制御部と、動作のための電源部と、予め入力された複数のメッセージを記憶するメモリ部と、呼出信号が外部から入力される入力部と、該入力部と接続され、外部機器からの呼出信号が直接入力される複数の外部機器接続用端子と、メモリ部から呼び出されたメッセージを表示する表示部と、を備えた表示器において、
前記複数の外部機器接続用端子のうち一の選択入力端子への呼出信号の入力と、その選択入力端子への入力をやめることを繰り返すことにより、呼出信号の入力による呼出信号の立ち上がり、又は呼出信号の入力をやめることによる呼出信号の立ち下がり毎に、メモリ部から予め設定された順序でメッセージが順次呼び出されて前記表示部にメッセージが表示される第１のメッセージ呼出方式と、
前記複数の外部機器接続用端子のうち、呼出信号の入力されている選択入力端子と呼出信号の入力がなされていない選択入力端子との組み合わせ毎に予め対応付けられたメッセージがメモリ部から読み出されて前記表示部にメッセージが表示される第２のメッセージ呼出方式と、を備え、
前記第１のメッセージ呼出方式と前記第２のメッセージ呼出方式との切替を行ってメッセージの呼出し方式の選択ができることを特徴とする表示器。
【請求項２】
前記表示部に表示されるメッセージの文字数が所定の文字数を超える場合に、メッセージをスクロール表示することを特徴とする請求項１に記載の表示器。
【請求項３】
前記スクロール表示のスクロール速度を複数用意し、スクロール速度を選択可能としたことを特徴とする請求項２に記載の表示器。
【請求項４】
前記表示部に表示される前記メッセージの色を複数用意し、色を選択可能としたことを特徴とする請求項１乃至請求項３のいずれかに記載の表示器。
【発明の詳細な説明】
【０００１】
【発明の属する技術分野】
本発明は、運転中・停止・異常発生等の設備や装置の状態表示に使用される表示器に関する。
【０００２】
【従来の技術】
この種の表示器の第１従来例として図８に示すものが存在する。このものは、表示内容を明記する記名板Ａ、表示内容を視認可能とするよう記名板Ａの背後から点灯するランプを備えている。
【０００３】
また、この種の表示器の第２従来例として図９に示すものがある。このものは、プログラマブル操作表示器であって、入力信号に基づいて、予め設定された表示内容を表示する表示部Ｂを備えている。
【０００４】
【発明が解決しようとする課題】
上記した第１従来例の表示器にあっては、記名板Ａに明記された表示内容が視認可能となるよう、記名板の背後からランプにより点灯するというものであるから、構造が単純で取り扱いが容易となっている。
【０００５】
しかしながら、このものは、表示内容を更新するためには、記名板Ａを新しいものに取り替えなくてはならず、表示内容の更新に手間がかかっていた。
【０００６】
また、第２従来例の表示器にあっては、入力信号に基づいて、予め設定された表示内容を表示するのであるから、表示内容の更新が容易である。
【０００７】
しかしながら、このものは、入力信号に基づいて、予め設定された表示内容を表示部に表示されるためには、シリアル通信の場合には、ヘッダやチェックといった通信プロトコルの設定が必要であり、パラレル通信の場合には、ストローブやレディーといった通信プロトコルの設定が必要なため、表示内容を表示するための事前準備に手間がかかっていた。
【０００８】
本発明は、上記の点に着目してなされたもので、その目的とするところは、表示内容を表示するための事前準備及び表示内容の更新に手間のかからない表示器を提供することにある。
【０００９】
【課題を解決するための手段】
上記した課題を解決するために、請求項１記載の表示器は、全体の動作を制御する制御部と、動作のための電源部と、予め入力された複数のメッセージを記憶するメモリ部と、呼出信号が外部から入力される入力部と、該入力部と接続され、外部機器からの呼出信号が直接入力される複数の外部機器接続用端子と、メモリ部から呼び出されたメッセージを表示する表示部と、を備え、前記複数の外部機器接続用端子のうち一の選択入力端子への呼出信号の入力と、その選択入力端子への入力をやめることを繰り返すことにより、呼出信号の入力による呼出信号の立ち上がり、又は呼出信号の入力をやめることによる呼出信号の立ち下がり毎に、メモリ部から予め設定された順序でメッセージが順次呼び出されて前記表示部にメッセージが表示される第１のメッセージ呼出方式と、前記複数の外部機器接続用端子のうち、呼出信号の入力されている選択入力端子と呼出信号の入力がなされていない選択入力端子との組み合わせ毎に予め対応付けられたメッセージがメモリ部から読み出されて前記表示部にメッセージが表示される第２のメッセージ呼出方式と、を備え、前記第１のメッセージ呼出方式と前記第２のメッセージ呼出方式との切替を行ってメッセージの呼出し方式の選択ができる構成にしている。
【００１０】
請求項２記載の表示器は、請求項１記載の表示器において、前記メモリ部は、外部機器からの呼出信号が入力された外部機器接続用端子の組み合わせに対応してメッセージが記憶され、外部機器からの呼出信号に従ってメモリ部からメッセージが呼び出され、表示部にメッセージが表示される構成にしている。
【００１５】
請求項２記載の表示器は、請求項１に記載の表示器において、前記表示部に表示されるメッセージの文字数が所定の文字数を超える場合に、メッセージをスクロール表示する構成にしている。
【００１６】
請求項３記載の表示器は、請求項２記載の表示器において、前記スクロール表示のスクロール速度を複数用意し、スクロール速度を選択可能な構成にしている。
【００１７】
請求項４記載の表示器は、請求項１乃至請求項３のいずれかに記載の表示器において、前記表示部に表示される前記メッセージの色を複数用意し、色を選択可能な構成にしている。
【００１８】
【発明の実施の形態】
本発明の一実施形態の表示器１０を図１乃至図７に基づいて以下に説明する。１は表示器本体で、略直方体状に形成され、前面の周囲に鍔部１１を設け、その前面の中央寄りにＬＣＤ製の表示部１２を設け、上下面に取付枠装着用の凹凸部１３を設けている。この表示器本体１は、必要に応じて、図４に示した取付枠９０が凹凸部１３に装着され、この取付枠９０を介して外部に取り付けされる。
【００１９】
表示部１２は、ネガ仕様となっており、バックを黒とし、メッセージを表示する文字部分が透明となっている。この表示部１２は、ＬＥＤバックライトの色を替えることにより、文字の色を変えたようにして、メッセージを表示可能としている。
【００２０】
この表示部１２は、漢字等の全角文字にして４文字分のメッセージを表示可能であり、半角文字ならば８文字分のメッセージを表示可能となっている。また、全角文字にして５文字以上のメッージを表示する場合は、スクロール表示をするようにしており、後述するメッセージ作成ソフトウエア４０により、スクロール速度が段階的に設定される。
【００２１】
この表示器本体１は、その背面に、入力端子部１３，１４及び電源端子部（電源部）１５を設けている。入力端子部１３，１４は、４本のパーソナルコンピュータ接続用端子１３及び７本の外部機器接続用端子１４を配置している。詳しくは、７本の外部機器接続用端子１４は、１本が共通入力端子１４１ａであり、残りの６本が選択用入力端子１４１ｂとなっている。電源端子部１５は、２本の接続端子１５１を配置している。この接続端子１５１は、例えばＤＣ５／６ＶやＤＣ２４Ｖ等の外部電源８０に接続される。この表示器本体１は、その側面に、後述するメッセージ呼出方式選択（ランダム呼出方式／順次呼出方式の選択）を選択可能な選択スイッチ１６を設けている。
【００２２】
また、この表示器本体１は、入力部１７、メモリ部１８、制御部１９を内蔵している。入力部１７は、メッセージ作成ソフトウエア４０をインストールされたパーソナルコンピュータ２０からメッセージを転送するためのメッセージ転送入力用ポート（図示せず）、ＰＬＣ３０ａやスイッチ３０ｂ等の外部機器３０からのメッセージ呼出用の呼出信号を入力する呼出入力ポート（図示せず）を有している。メッセージ転送入力用ポートは、パーソナルコンピュータ接続用端子１３に接続されており、呼出入力ポートは、外部機器接続用端子１４２に接続されている。メモリ部１８は、フラッシュメモリからなり、電源バックアップ不要となっている。このメモリ部１８は、予め入力された複数のメッセージを記憶する。制御部１９は、この表示器１０の全体の動作を制御する。
【００２３】
次に、メッセージ作成ソフトウエア４０について説明する。このメッセージ作成ソフトウエア４０は、パーソナルコンピュータ２０のモニター画面上に、図５のように示される。
【００２４】
４１はファイル名欄で、このメッセージ作成ソフトウエア４０を有するファイル名を示している。４２はメッセージＮｏ欄で、図５における１行が、１メッセージに対応している。従って、６４メッセージの場合、００〜６３のメッセージが対応することになる。
【００２５】
４３はメッセージ内容欄で、漢字、平仮名、片仮名、英数字、登録文字により構成される。メッセージ内容は、例えば、メッセージＮｏ．０３に示すように、５桁以上の場合、自動的に、スクロール速度が「普通」のスクロール表示（流れ表示）に設定される。このスクロール速度は、流れ表示ＯＮ／スピード欄４５への設定により、「普通」以外に、「速い」又は「遅い」に変更することができるようになっている。また、このメッセージ内容の色は、文字色欄４６への設定により、前述したように、ＬＥＤバックライトの色を替えて、緑色又赤色のいずれかに変更することができるようになっている。
【００２６】
４４は編集欄で、新規・既存のファイル選択、行（メッセージ単位）での挿入・削除、作成したファイルのパーソナルコンピュータへの登録・表示器本体１への転送、表示器本体１でのメッセージ呼出方式選択（ランダム呼出方式／順次呼出方式の選択）、本画面内容のプリンタへの印刷出力等をするために使用される。
【００２７】
次に、ランダム呼出方式について説明する。このランダム呼出方式を採用する場合は、表示器本体１の選択スイッチ１６の操作によるハード的な切替をするか、前述したメッセージ作成ソフトウエア４０の編集欄４４を使用したソフト的な切替をすることにより、この方式の採用を設定する。
【００２８】
この方式を設定することにより、呼出信号の入力用に接続される選択入力端子１４１ｂの組み合わせを、呼出信号の信号入力形態とし、その呼出信号の信号入力形態のみに基づいて、メモリ部１８からメッセージを呼び出して、呼び出したメッセージを表示部１２に表示する。
【００２９】
さらに、図６に基づいて、具体的に説明する。この図６では、共通入力端子１４１ａを「Ｃ」、選択入力端子１４１ｂを「１」〜「６」とし、呼出信号の入力に使用される端子を黒丸で示し、呼出信号の入力に使用されない端子を白丸で示している。例えば、メッセージ００では、共通入力端子１４１ａのみが呼出信号の入力に使用され、この状態は、２進数の０表示「００００００」に対応している。また、メッセージ０１では、共通入力端子１４１ａの他に、「１」の選択入力端子１４１ｂが呼出信号の入力に使用され、この状態は、２進数の１表示「０００００１」に対応している。また、メッセージ０２では、共通入力端子１４１ａの他に、「２」の選択入力端子１４１ｂが呼出信号の入力に使用され、この状態は、２進数の２表示「００００１０」に対応している。
【００３０】
次に、順次呼出方式について説明する。この順次呼出方式を採用する場合は、ランダム呼出方式の場合と同様に、表示器本体１の選択スイッチ操作によるハード的な切替をするか、前述したメッセージ作成ソフトウエア４０の編集欄４４を使用したソフト的な切替をすることにより、この方式の採用を設定する。
【００３１】
この方式では、呼出信号の入力に使用される端子は、「Ｃ」と示した共通入力端子１４１ａ及び「１」と示した選択入力端子１４１ｂであり、この方式を設定することにより、呼出信号の立ち上がり又は立ち下がりを、呼出信号の信号入力形態とし、その呼出信号の信号入力形態のみに基づいて、予め設定された呼出順序に従って、メモリ部１８からメッセージを呼び出し、呼び出したメッセージを表示部１２に表示する。
【００３２】
さらに、図７に基づいて、具体的に説明する。呼出信号の最初の立ち上がりにより、メッセージ００からメッセージ０１に替わり、呼出信号の次の立ち上がりにより、メッセージ０１からメッセージ０２に替わり、呼出信号の次の立ち上がりにより、メッセージ０２からメッセージ０３に順に替わってゆく。
【００３３】
次に、図２に基づいて、本表示器１０を使用した表示システム５０について説明する。この表示器１０は、外部機器３０として、ＰＬＣ３０ａやスイッチ３０ｂに接続されて、呼出信号が入力され、メッセージ作成ソフトウエア４０がフロッピー６０を介してインストールされたパーソナルコンピュータ２０に、変換器７０を介して接続されている。このように、変換器７０を介して接続されることにより、パーソナルコンピュータ２０からの転送信号を一旦変換器７０で受信し、専用の信号を表示器に入力することにより、表示器１０の回路を簡略化可能となっている。
【００３４】
かかる表示器１０にあっては、呼出信号の信号入力形態に基づいて、メモリ部１８からメッセージを呼び出すのであるから、表示部１２に表示するメッセージの更新がに手間がかからなくなっている。しかも、呼出信号の信号入力形態のみに基づいて、メモリ部１８からメッセージを呼び出すのであるから、通信プロトコルを設定する必要がなく、表示内容を表示するための事前準備にも手間がかかることがない。
【００３５】
また、ランダム呼出方式を採用する場合、呼出信号の入力用とされた選択入力端子１４１ｂの組み合わせを、呼出信号の信号入力形態としているのであるから、呼出信号の信号入力形態が複雑にならなくなる。しかも、選択入力端子１４１ｂの組み合わせを２進数表示として使用しているから、呼出信号の信号入力形態それぞれに番号を付すことができるようになっている。
【００３６】
また、順次呼出方式を採用する場合、呼出信号の信号入力形態に基づいて、次のメッセージを呼び出すようにしているのであって、複数のメッセージから選択するようして呼び出すのではないから、呼出信号の信号入力形態の数を多くしなくてもすむ。さらに、呼出信号の立ち上がりを、呼出信号の信号入力形態としているのであるから、呼出信号の信号入力形態が複雑にならなくなる。
【００３７】
また、呼出信号の信号入力形態のみに基づいてメモリ部１８からメッセージを呼び出す呼出方式を、ランダム呼出方式又は順次呼出方式のいずれかに選択可能としているのであるから、時や場合等に合わせて、呼出方式を使い分けることができる。
【００３８】
また、表示器１０に表示されるメッセージの文字数が所定の文字数を超える場合に、メッセージをスクロール表示するのであるから、長いメッセージであっても途中で切れることなく、表示することができる。さらに、スクロール速度を選択可能としているのであるから、時や場合等に合わせて、スクロール速度を使い分けて、表示形態を変えることができる。
【００３９】
また、メッセージの色を選択可能としているのであるから、時や場合等に合わせて、メッセージの色を使い分けて、表示形態を変えることができる。
【００４０】
なお、本実施形態における順次呼出方式の場合、呼出信号の立ち上がりを、呼出信号の信号入力形態としているが、呼出信号の立ち下がりを、呼出信号の信号入力形態としても同様の効果を奏することができる。
【００４１】
また、本実施形態では、電源部は、電源端子部１５となっているが、バッテリー等を使用する場合は、バッテリーが電源部となる。
【００４２】
【発明の効果】
請求項１記載の表示器は、呼出信号の信号入力形態に基づいて、メモリ部からメッセージを呼び出すのであるから、表示部に表示するメッセージの更新に手間がかからなくなっている。しかも、呼出信号の信号入力形態のみに基づいて、メモリ部からメッセージを呼び出すのであるから、通信プロトコルを設定する必要がなく、表示内容を表示するための事前準備にも手間がかかることがない。又、二つの外部機器接続用端子の切り替えで、予め設定されたメッセージが順序良く表示されるので、端子の数を多くしなくて済む。
【００４３】
請求項２記載の表示器は、請求項１記載の表示器の効果に加えて、メモリ部は、外部機器からの呼出信号が入力された外部機器接続用端子の組み合わせに対応してメッセージが記憶され、外部機器からの呼出信号に従ってメモリ部からメッセージが呼び出され、表示部にメッセージが表示されるため、呼出信号の入力形態が複雑にならなくなる。
【００４８】
請求項２記載の表示器は、請求項１に記載の表示器の効果に加えて、表示器に表示されるメッセージの文字数が所定の文字数を超える場合に、メッセージをスクロール表示するのであるから、長いメッセージであっても途中で切れることなく、表示することができる。
【００４９】
請求項３記載の表示器は、請求項２記載の表示器の効果に加えて、スクロール速度を選択可能としているのであるから、時や場合等に合わせて、スクロール速度を使い分けて、表示形態を変えることができる。
【００５０】
請求項４記載の表示器は、請求項１乃至請求項３のいずれかに記載の表示器の効果に加えて、メッセージの色を選択可能としているのであるから、時や場合等に合わせて、メッセージの色を使い分けて、表示形態を変えることができる。
【図面の簡単な説明】
【図１】本発明の一実施形態の構成図である。
【図２】同上を使用した表示システムの構成図である。
【図３】同上の背面斜視図である。
【図４】同上を取付けるための取付枠の斜視図である。
【図５】メッセージ作成ソフトウエアの内容の説明図である。
【図６】呼出信号用とされた共通入力端子及び選択入力端子による２進数表示の説明図である。
【図７】次のメッセージを呼び出すタイミングの説明図である。
【図８】第１従来例の斜視図である。
【図９】第２従来例の斜視図である。
【符号の説明】
１２      表示部
１４１ａ  共通入力端子
１４１ｂ  選択入力端子
１５      電源端子部（電源部）
１８      メモリ部
１７      入力部
１９      制御部
【図１】
0003945105.tif 000002
【図２】
0003945105.tif 000003
【図３】
0003945105.tif 000004
【図４】
0003945105.tif 000005
【図５】
0003945105.tif 000006
【図６】
0003945105.tif 000007
【図７】
0003945105.tif 000008
【図８】
0003945105.tif 000009
【図９】
0003945105.tif 000010